(57)【要約】【課題】必要とするメモリ容量を増大させることなく、ＲＡＷ画像により類似する擬似ＲＡＷ画像を生成する画像処理装置などを提供する。【解決手段】画像処理装置２は、ＲＡＷ画像をＪＰＥＧ画像に現像したときの現像パラメータと、ＲＡＷ画像を複数のブロックに分割したときのブロックの領域情報と、ブロック毎、ＲＧＢ毎の積算値又は平均値とを記録したＪＰＥＧデータを入力する入力部２１と、ＪＰＥＧ画像を現像パラメータに基づいて逆変換して擬似ＲＡＷ画像を生成する逆変換部２２とを備え、逆変換部は、ＪＰＥＧ画像を逆変換したときの値を領域情報と積算値又は平均値とに基づいて補正して擬似ＲＡＷ画像を生成する。【選択図】図１
2020108001.tif 000002
【特許請求の範囲】
【請求項１】
ＲＡＷ画像をＪＰＥＧ画像に現像したときの現像パラメータと、前記ＲＡＷ画像を複数のブロックに分割したときの前記ブロックの領域情報と、前記ブロック毎、ＲＧＢ毎の積算値又は平均値とを記録したＪＰＥＧデータを入力する入力部と、
前記ＪＰＥＧ画像を前記現像パラメータに基づいて逆変換して擬似ＲＡＷ画像を生成する逆変換部とを備え、
前記逆変換部は、前記ＪＰＥＧ画像を逆変換したときの値を前記領域情報と前記積算値又は平均値とに基づいて補正して前記擬似ＲＡＷ画像を生成する
画像処理装置。
【請求項２】
被写体を撮像してＲＡＷ画像を生成する撮像部と、
前記ＲＡＷ画像を複数のブロックに分割して前記ブロック毎、ＲＧＢ毎の積算値又は平均値を算出し、また、前記ＲＡＷ画像を現像してＪＰＥＧ画像及び現像パラメータを出力する画像処理部と、
前記現像パラメータ、前記ブロックの領域情報、前記積算値又は前記平均値を記憶する現像パラメータ処理部と、
前記ＪＰＥＧ画像を前記現像パラメータに基づいて逆変換して擬似ＲＡＷ画像を生成する逆変換部とを備え、
前記逆変換部は、前記ＪＰＥＧ画像を逆変換したときの値を前記領域情報と前記積算値又は平均値とに基づいて補正して前記擬似ＲＡＷ画像を生成する
撮像装置。
【請求項３】
ＲＡＷ画像をＪＰＥＧ画像に現像したときの現像パラメータと、前記ＲＡＷ画像を複数のブロックに分割したときの前記ブロックの領域情報と、前記ブロック毎、ＲＧＢ毎の積算値又は平均値とを記録したＪＰＥＧデータを入力する入力ステップと、
前記ＪＰＥＧ画像を前記現像パラメータに基づいて逆変換して擬似ＲＡＷ画像を生成する逆変換ステップとを有し、
前記逆変換ステップは、前記ＪＰＥＧ画像を逆変換したときの値を前記領域情報と前記積算値又は平均値とに基づいて補正して前記擬似ＲＡＷ画像を生成する
画像処理方法。
【請求項４】
コンピュータに、
ＲＡＷ画像をＪＰＥＧ画像に現像したときの現像パラメータと、前記ＲＡＷ画像を複数のブロックに分割したときの前記ブロックの領域情報と、前記ブロック毎、ＲＧＢ毎の積算値又は平均値とを記録したＪＰＥＧデータを入力する入力手順と、
前記ＪＰＥＧ画像を前記現像パラメータに基づいて逆変換して擬似ＲＡＷ画像を生成する逆変換手順とを実行させるための画像処理プログラムであって、
前記逆変換手順では、前記ＪＰＥＧ画像を逆変換したときの値を前記領域情報と前記積算値又は平均値とに基づいて補正して前記擬似ＲＡＷ画像を生成する
画像処理プログラム。
【発明の詳細な説明】
【技術分野】
【０００１】
本発明は画像処理装置、撮像装置、画像処理方法及び画像処理プログラムに関する。
【背景技術】
【０００２】
一般的な撮像装置では、イメージセンサのセンサ情報そのものであるＲＡＷデータ（ベイヤーデータ）を現像してユーザが視認可能な８ビット深度を有するＪＰＥＧデータを生成し記録媒体などに記録する。また、近年の撮像装置には１０ビット以上のＲＡＷデータをそのまま記録するものもある。しかしながら、ＲＡＷデータは非常に大きなデータであり、一般にはＪＰＥＧデータを記録する場合が多い。
【０００３】
一方、画像を編集するときは、８ビット深度の非可逆圧縮情報であるＪＰＥＧデータを編集するよりも１０ビット以上の情報量を有するＲＡＷデータを編集する方が編集後の画像が高画質になる。
【０００４】
このため、例えば、特許文献１には、履歴付加装置において、入力画像に対して現像処理（画像処理）を施して処理済み画像を生成するとともに、処理済み画像を入力画像に戻す復元処理に必要な履歴情報として、画像処理が不可逆な場合は入力画像と処理済み画像との差分画像を生成し、画像処理が可逆な場合は画像処理の処理内容を示す情報を生成して処理済み画像に付加し、画像ファイルを生成することが記載されている。
【先行技術文献】
【特許文献】
【０００５】
【特許文献１】特開２００６−１９６９９２号公報
【発明の概要】
【発明が解決しようとする課題】
【０００６】
しかしながら、実際の現像処理における各処理はクリップ処理などによりデータが失われて不可逆となることが多く、特許文献１記載の発明では、差分画像を記録するためのメモリ容量を多く必要とする。
【０００７】
本発明は、このような問題を解決するためになされたもので、必要とするメモリ容量を増大させることなく、ＲＡＷ画像により類似する擬似ＲＡＷ画像を生成することができる画像処理装置、撮像装置、画像処理方法及び画像処理プログラムを提供することを目的とする。
【課題を解決するための手段】
【０００８】
本発明に係る画像処理装置は、ＲＡＷ画像をＪＰＥＧ画像に現像したときの現像パラメータと、ＲＡＷ画像を複数のブロックに分割したときのブロックの領域情報と、ブロック毎、ＲＧＢ毎の積算値又は平均値とを記録したＪＰＥＧデータを入力する入力部と、ＪＰＥＧ画像を現像パラメータに基づいて逆変換して擬似ＲＡＷ画像を生成する逆変換部とを備え、逆変換部は、ＪＰＥＧ画像を逆変換したときの値を領域情報と積算値又は平均値とに基づいて補正して擬似ＲＡＷ画像を生成するものである。
【０００９】
また、本発明に係る撮像装置は、被写体を撮像してＲＡＷ画像を生成する撮像部と、ＲＡＷ画像を複数のブロックに分割してブロック毎、ＲＧＢ毎の積算値又は平均値を算出し、また、ＲＡＷ画像を現像してＪＰＥＧ画像及び現像パラメータを出力する画像処理部と、現像パラメータ、ブロックの領域情報、積算値又は平均値を記憶する現像パラメータ処理部と、ＪＰＥＧ画像を現像パラメータに基づいて逆変換して擬似ＲＡＷ画像を生成する逆変換部とを備え、逆変換部は、ＪＰＥＧ画像を逆変換したときの値を領域情報と積算値又は平均値とに基づいて補正して擬似ＲＡＷ画像を生成するものである。
【００１０】
また、本発明に係る画像処理方法は、ＲＡＷ画像をＪＰＥＧ画像に現像したときの現像パラメータと、ＲＡＷ画像を複数のブロックに分割したときのブロックの領域情報と、ブロック毎、ＲＧＢ毎の積算値又は平均値とを記録したＪＰＥＧデータを入力する入力ステップと、ＪＰＥＧ画像を現像パラメータに基づいて逆変換して擬似ＲＡＷ画像を生成する逆変換ステップとを有し、逆変換ステップは、ＪＰＥＧ画像を逆変換したときの値を領域情報と積算値又は平均値とに基づいて補正して擬似ＲＡＷ画像を生成するものである。
【００１１】
また、本発明に係る画像処理プログラムは、コンピュータに、ＲＡＷ画像をＪＰＥＧ画像に現像したときの現像パラメータと、ＲＡＷ画像を複数のブロックに分割したときのブロックの領域情報と、ブロック毎、ＲＧＢ毎の積算値又は平均値とを記録したＪＰＥＧデータを入力する入力手順と、ＪＰＥＧ画像を現像パラメータに基づいて逆変換して擬似ＲＡＷ画像を生成する逆変換手順とを実行させるための画像処理プログラムであって、逆変換手順では、ＪＰＥＧ画像を逆変換したときの値を領域情報と積算値又は平均値とに基づいて補正して擬似ＲＡＷ画像を生成するものである。
【発明の効果】
【００１２】
本発明により、必要とするメモリ容量を増大させることなく、ＲＡＷ画像により類似する擬似ＲＡＷ画像を生成する画像処理装置、撮像装置、画像処理方法及び画像処理プログラムを提供することができる。
【図面の簡単な説明】
【００１３】
【図１】実施の形態に係る撮像装置１及び画像処理装置２の概略構成を示すブロック図である。
【図２】実施の形態に係る撮像方法の処理手順を示すフローチャートである。
【図３】実施の形態に係るブロックを示す図である。
【図４】実施の形態に係る画像処理方法の処理手順を示すフローチャートである。
【図５】実施の形態に係るトーンカーブデータを示す図である。
【図６】実施の形態に係るブロック統計値の対応付けを説明するための図である。
【発明を実施するための形態】
【００１４】
以下、本実施の形態に係る画像処理装置及び画像処理方法について図面を参照して説明する。
まずは、本実施の形態に係る画像処理装置、及び、ＪＰＥＧデータを出力する撮像装置の構成について説明する。
【００１５】
図１は、本実施の形態に係る撮像装置１及び画像処理装置２の概略構成を示すブロック図である。
撮像装置１は、例えば、デジタルカメラであって、撮像部１１、アナログ処理部１２、画像処理部１３、現像パラメータ処理部１４、メモリ１５、メモリカードインターフェイス（メモリカードＩ／Ｆ）１６、メモリカード１７、内部バス１８などを備える。
【００１６】
撮像部１１は、ＣＣＤ、ＣＭＯＳなどのイメージセンサであり、被写体像を光電変換してＲＡＷ画像を生成する。
アナログ処理部１２は、撮像部１１が生成し、ＣＤＳ回路（図示せず）が信号処理したアナログ画像信号をＡ／Ｄ変換してデジタル画像信号とし、画像処理部１３に出力する。
【００１７】
画像処理部１３は、デジタル画像信号をブロック分割してＲＧＢ別に積算又は平均した値（以下、「ブロック統計値」という。）を算出し、ブロックの領域情報（位置情報）及びブロック統計値を現像パラメータ処理部１４に出力する。
【００１８】
また、画像処理部１３は、デジタル画像信号に、ホワイトバランス補正、デモザイク処理、色再現マトリクス変換処理、トーンカーブ変換（ガンマ補正）処理、ＲＧＢ−ＹＣｂＣｒ変換処理、ＪＰＥＧデータ生成（符号化）などの通常の現像処理を施して、ＪＰＥＧデータをメモリ１５又はメモリカード１７に出力するとともに、現像パラメータを現像パラメータ処理部１４に出力する。
【００１９】
この現像パラメータには、黒レベルを示すオプティカルブラック値、ホワイトバランスゲイン、色再現マトリクス、トーンカーブ、ＲＧＢ値からＹＣデータに変換するためのマトリクス（ＹＣｂＣｒ変換係数）などが含まれる。また、ノイズリダクションパラメータなどが含まれても良い。
【００２０】
現像パラメータ処理部１４は、各撮像画像の現像パラメータ、ブロックの領域情報及びブロック統計値を記録するとともに、それらをメモリ１５などのＪＰＥＧデータ中に記録する。現像パラメータなどは、例えば、ＥＸＩＦ（Exchangeable image file format）データのメーカーノート領域に記録する。または、ＪＰＥＧデータ後方部に記録しても良い。
【００２１】
メモリ１５はＪＰＥＧデータを記憶する。また、メモリ１５は現像パラメータ、ブロックの領域情報及びブロック統計値が記録されたＪＰＥＧデータを記憶する。
メモリカードインターフェイス１６は、画像処理部１３、現像パラメータ処理部１４などと、記録媒体であるメモリカード１７との間のデータ伝送を仲介する。
【００２２】
メモリカード１７は、やはり、現像パラメータ、ブロックの領域情報及びブロック統計値が記録されたＪＰＥＧデータなどを記憶する。
内部バス１８は、撮像装置１内部の各構成を互いに通信可能に接続する。
【００２３】
また、画像処理装置２は、例えば、パソコンであって、入力部２１、逆変換部２２などを備える。
入力部２１は、記録媒体、有線通信路、無線通信路などを介して、現像パラメータ、ブロックの領域情報及びブロック統計値が記録されたＪＰＥＧデータを入力する。
逆変換部２２は、当該ＪＰＥＧデータのＪＥＰＧ画像について、現像処理で行う変換とは逆方向の変換（逆変換）を行い、擬似ＲＡＷ画像を生成する。逆変換処理の詳細については後述する。
【００２４】
なお、画像処理装置２が実現する各構成要素は、例えば、コンピュータである画像処理装置２が備える演算装置（図示せず）の制御によって、プログラムを実行することにより実現できる。
【００２５】
より具体的には、画像処理装置２は、記憶部（図示せず）に格納されたプログラムを主記憶装置（図示せず）にロードし、演算装置の制御によってプログラムを実行して実現する。また、各構成要素は、プログラムによるソフトウェアで実現することに限ることなく、ハードウェア、ファームウェア及びソフトウェアのうちのいずれかの組み合わせなどにより実現しても良い。
【００２６】
上述したプログラムは、様々なタイプの非一時的なコンピュータ可読媒体（non-transitory computer readable medium）を用いて格納され、画像処理装置２に供給することができる。非一時的なコンピュータ可読媒体は、様々なタイプの実体のある記録媒体（tangible storage medium）を含む。
【００２７】
非一時的なコンピュータ可読媒体の例は、磁気記録媒体（例えば、フレキシブルディスク、磁気テープ、ハードディスクドライブ）、光磁気記録媒体（例えば、光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。
【００２８】
また、プログラムは、様々なタイプの一時的なコンピュータ可読媒体（transitory computer readable medium）によって画像処理装置２に供給されても良い。一時的なコンピュータ可読媒体の例は、電気信号、光信号、及び電磁波を含む。一時的なコンピュータ可読媒体は、電線及び光ファイバなどの有線通信路、または無線通信路を介して、プログラムを画像処理装置２に供給できる。
【００２９】
次に、本実施の形態に係る撮像装置１の動作、すなわち、撮像方法について説明する。
図２は、本実施の形態に係る撮像方法の処理手順を示すフローチャートである。
撮像装置１が処理を開始すると、撮像部１１は被写体を撮像してＲＡＷデータを生成し（ステップＳ１０）、ＣＤＳ回路（図示せず）が信号処理した後に、アナログ処理部１２がＡ／Ｄ変換してデジタル画像信号とする。
【００３０】
次に、画像処理部１３が当該デジタル画像を複数のブロックに分割し（ステップＳ２０）、ブロック毎、ＲＧＢ毎のブロック統計値、ここでは、平均値を算出し（ステップＳ３０）、ブロックの領域情報及びブロック統計値を現像パラメータ処理部１４に出力する。
図３は、本実施の形態に係るブロックを示す図である。画像を横４ブロック、縦４ブロックの計１６ブロックに分割している。
【００３１】
次に、画像処理部１３が当該デジタル画像にホワイトバランス（ＷＢ）補正処理（ステップＳ４０）、デモザイク処理（ステップＳ５０）、色再現マトリクス変換（ＣＣ）処理（ステップＳ６０）、トーンカーブ変換（ガンマ補正）処理（ステップＳ７０）、ＲＧＢ−ＹＣｂＣｒ変換処理（ステップＳ８０）、ＪＰＥＧデータ生成（符号化）処理（ステップＳ９０）などの通常の現像処理をした後、ＪＰＥＧデータをメモリ１５又はメモリカード１７に記憶する。
【００３２】
また、画像処理部１３は、現像パラメータ、ブロックの領域情報及びブロック統計値を現像パラメータ処理部１４に記憶させ（ステップＳ１００、Ｓ１１０）、また、これらのデータをメモリ１５又はメモリカード１７のＪＰＥＧデータに追記する。
このようにして、本実施の形態に係る撮像方法は、現像パラメータ、ブロックの領域情報及びブロック統計値が記録されたＪＰＥＧデータを生成する。
【００３３】
次に、本実施の形態に係る画像処理装置２の動作、すなわち、画像処理方法について説明する。
図４は、本実施の形態に係る画像処理方法の処理手順を示すフローチャートである。
画像処理装置２が処理を開始すると、入力部２１は現像パラメータ、ブロックの領域情報及びブロック統計値が記録されたＪＰＥＧデータを入力し、逆変換部２２が当該ＪＰＥＧデータからＹＣｂＣｒデータ、現像パラメータ、ブロックの領域情報及びブロック統計値を抽出し、現像パラメータについては現像処理中の各処理のパラメータに分離する（ステップＳ２１０〜Ｓ２３０）。
【００３４】
次に、逆変換部２２は現像パラメータ中にＲＧＢ−ＹＣｂＣｒ変換マトリックスが含まれているか判定する（ステップＳ２４０）。
現像パラメータ中にＲＧＢ−ＹＣｂＣｒ変換マトリックスが含まれているとき（ステップＳ２４０のＹｅｓ）は、当該マトリックスの逆行列を算出し（ステップＳ２５０）、式（１）に示すように、当該逆行列を用いてＹＣｂＣｒデータをＲＧＢデータに変換する（ステップＳ２６０）。
【数１】
2020108001.tif 000003
【００３５】
また、現像パラメータ中にＲＧＢ−ＹＣｂＣｒ変換マトリックスが含まれていないとき（ステップＳ２４０のＮｏ）は、式（２）に示すように、一般的な変換行列を用いてＹＣｂＣｒデータをＲＧＢデータに変換する（ステップＳ２７０）。
【数２】
2020108001.tif 000004
【００３６】
次に、逆変換部２２は、トーンカーブデータを用いてＹＣｂＣｒ−ＲＧＢ変換後のＲＧＢデータを逆トーンカーブ変換する（ステップＳ２８０）。ここでは、トーンカーブパラメータはテーブルデータであっても、テーブルを作成するための数組のポイントデータであっても良い。ポイントデータであるときはスプライン補間演算を行い、トーンカーブデータを作成する。
【００３７】
図５は、本実施の形態に係るトーンカーブデータを示す図である。横軸はトーンカーブ変換前の１４〜１０ｂｉｔのＲＧＢデータを示し、縦軸はトーンカーブ変換後の８ビットのＲＧＢデータを示す。
【００３８】
次に、ブロックの領域情報を用いて逆トーンカーブ変換後のＲＧＢデータを複数のブロックに分割し（ステップＳ２９０）、ブロック毎、ＲＧＢ毎のブロック統計値、ここでも、平均値を算出する（ステップＳ３００）。
【００３９】
次に、ＪＰＥＧデータから読み出した、現像前（ステップＳ３０）に算出したブロック統計値と、逆トーンカーブ変換後（ステップＳ３００）に算出したブロック統計値との対応付けをブロック毎に行う（ステップＳ３１０）。
【００４０】
図６は、本実施の形態に係るブロック統計値の対応付けを説明するための図である。横軸は逆トーンカーブ変換後のあるブロックのＲ値、Ｇ値又はＢ値を示し、その平均値は当該ブロックのブロック統計値であり、最小値、最大値は当該ブロックの実績値である。また、縦軸はＪＰＥＧデータに記録された当該ブロックの値であって、その平均値は当該ブロックの現像前のブロック統計値であり、最小値、最大値は当該ブロックのＪＰＥＧデータから算出される値である。
【００４１】
逆変換部２２は、各ブロックについて、逆トーンカーブ変換後の最小値、平均値、最大値と、ＪＰＥＧデータに記録され、又は、ＪＰＥＧデータから算出した最小値、平均値、最大値との対応付けをし、スプライン補間演算をして補間データを算出する。
【００４２】
次に、逆トーンカーブ変換後のＲＧＢデータについて、ブロック毎に白つぶれ、黒つぶれしている部分があるか判定する（ステップＳ３３０）。白つぶれは画像データのビット深度の最大値が連続している領域を検出することで、黒つぶれは画像データの最小値、すなわち、０値が連続している領域を検出することでそれぞれ判定する。
【００４３】
次に、白つぶれ領域、黒つぶれ領域のデータをステップＳ３２０のスプライン補間で算出した補間データと置換することにより飽和領域の補正処理、すなわち、白つぶれ、黒つぶれを解消する。
【００４４】
次に、色再現マトリクス逆変換処理を行う。現像パラメータとして記録されている色再現マトリクス値の逆行列を算出し、式（３）に示すように補正後のデータを逆変換する。
【数３】
2020108001.tif 000005
【００４５】
最後に、式（４）に示すように逆ホワイトバランス補正を行って、擬似ＲＡＷデータを生成する。
【数４】
2020108001.tif 000006
【００４６】
このように、本実施の形態に係る画像処理装置２及び画像処理方法では、ＪＰＥＧデータから、必要とするメモリ容量を増大させることなく、ＲＡＷ画像により類似する擬似ＲＡＷ画像を生成することができ、高画質状態での編集はもとより、画質に問題が生じている画像などでのシミュレーションの実施を可能にして開発者の利便性を向上させることができる。
【００４７】
なお、本実施の形態に係る画像処理装置２及び画像処理方法では、種々の変更、変形が可能である。
例えば、本実施の形態では、逆トーンカーブ変換処理（ステップＳ２８０）後に白つぶれ、黒つぶれの補正処理（ステップＳ２８０〜Ｓ３４０）を行ったが、更に、色再現マトリクス逆変換処理（ステップＳ３５０）又は逆ホワイトバランス補正処理（ステップＳ３５０）の後に同様の補正処理を行っても良い。これにより、色再現マトリクス変換処理又はホワイトバランス補正処理中のクリップ処理で失われた情報も補完することができる。
【００４８】
また、本実施の形態では、ホワイトバランス補正処理（ステップＳ４０）の前の最もデータ量が多いＲＡＷデータからブロック統計値を算出し（ステップＳ３０）、それらを逆変換処理での補正に用いたが、更に、色再現マトリクス変換処理（ステップＳ６０）、又は、トーンカーブ変換処理（ステップＳ７０）の前でも同様にブロック統計値を算出し、それらを逆変換処理での補正に用いても良い。
【００４９】
また、本実施の形態では、撮像装置１と画像処理装置２とを別の装置として構成したが、画像処理装置２を逆変換部として撮像装置１内に組み込んでも良い。
また、本実施の形態では、撮像装置１が撮像、ブロック分割、ブロック統計値算出、現像などを行ったが、撮像装置は撮像によるＲＡＷ画像生成だけを行い、他の装置がブロック分割、ブロック統計値算出、現像などを行っても良い。
【００５０】
以上、説明したように、本実施の形態に係る画像処理装置２は、ＲＡＷ画像をＪＰＥＧ画像に現像したときの現像パラメータと、ＲＡＷ画像を複数のブロックに分割したときのブロックの領域情報と、ブロック毎、ＲＧＢ毎の積算値又は平均値とを記録したＪＰＥＧデータを入力する入力部２１と、ＪＰＥＧ画像を現像パラメータに基づいて逆変換して擬似ＲＡＷ画像を生成する逆変換部２２とを備え、逆変換部は、ＪＰＥＧ画像を逆変換したときの値を領域情報と積算値又は平均値とに基づいて補正して擬似ＲＡＷ画像を生成するものである。
このような構成により、必要とするメモリ容量を増大させることなく、ＲＡＷ画像により類似する擬似ＲＡＷ画像を生成することができる。
【００５１】
また、本実施の形態に係る撮像装置１は、被写体を撮像してＲＡＷ画像を生成する撮像部１１と、ＲＡＷ画像を複数のブロックに分割してブロック毎、ＲＧＢ毎の積算値又は平均値を算出し、また、ＲＡＷ画像を現像してＪＰＥＧ画像及び現像パラメータを出力する画像処理部１３と、現像パラメータと、ブロックの領域情報及び積算値又は平均値を記憶する現像パラメータ処理部１４と、ＪＰＥＧ画像を現像パラメータに基づいて逆変換して擬似ＲＡＷ画像を生成する逆変換部とを備え、逆変換部は、ＪＰＥＧ画像を逆変換したときの値を領域情報と積算値又は平均値とに基づいて補正して擬似ＲＡＷ画像を生成するものである。
このような構成により、必要とするメモリ容量を増大させることなく、ＲＡＷ画像により類似する擬似ＲＡＷ画像を生成することができる。
【００５２】
また、本実施の形態に係る画像処理方法は、ＲＡＷ画像をＪＰＥＧ画像に現像したときの現像パラメータと、ＲＡＷ画像を複数のブロックに分割したときのブロックの領域情報と、ブロック毎、ＲＧＢ毎の積算値又は平均値とを記録したＪＰＥＧデータを入力する入力ステップと、ＪＰＥＧ画像を現像パラメータに基づいて逆変換して擬似ＲＡＷ画像を生成する逆変換ステップＳ２１０〜Ｓ３６０とを有し、逆変換ステップは、ＪＰＥＧ画像を逆変換したときの値を領域情報と積算値又は平均値とに基づいて補正して擬似ＲＡＷ画像を生成するものである。
このような構成により、必要とするメモリ容量を増大させることなく、ＲＡＷ画像により類似する擬似ＲＡＷ画像を生成することができる。
【符号の説明】
【００５３】
１    撮像装置
１１    撮像部
１２    アナログ処理部
１３    画像処理部
１４    現像パラメータ処理部
１５    メモリ
１６    メモリカードインターフェイス
１７    メモリカード１７
１８    内部バス
２    画像処理装置
２１    入力部
２２    逆変換部
【図１】
2020108001.tif 000007
【図２】
2020108001.tif 000008
【図３】
2020108001.tif 000009
【図４】
2020108001.tif 000010
【図５】
2020108001.tif 000011
【図６】
2020108001.tif 000012